(57)【要約】【課題】移動端末が、アプリケーションサーバからの配信情報が発生した際にのみ、無線ＬＡＮインタフェースの電源をオンにすることによって省電力化を実現する配信情報取得方法等を提供する。【解決手段】移動端末が、無線ＷＡＮの基地局位置情報と無線ＬＡＮのアクセスポイント接続情報とを対応付けた接続履歴を記録する。最初に、プッシュサーバが、無線ＷＡＮを介して移動端末へ呼メッセージを送信する。移動端末が、当該無線ＷＡＮの基地局位置情報を取得し、接続履歴を用いて、当該基地局位置情報に対応するアクセスポイント接続情報を検索する。そして、移動端末が、無線ＬＡＮインタフェースの電源をオンにし、無線ＬＡＮのアクセスポイントを介してアプリケーションサーバから、配信情報を受信する。最後に、移動端末は、無線ＬＡＮインタフェースの電源をオフにする。【選択図】図１
2011217095.tif 000002
【特許請求の範囲】
【請求項１】
広域通信ネットワークに無線ＷＡＮ(Wide Area Network)及び無線ＬＡＮ(Local Area Network)が相互に接続されており、前記広域通信ネットワークに接続されたプッシュサーバ及びアプリケーションサーバと、前記無線ＷＡＮ及び無線ＬＡＮに接続可能な移動端末とを有するシステムにおける、移動端末の配信情報取得方法であって、
前記移動端末は、前記無線ＷＡＮから基地局位置情報を取得することができ、前記無線ＬＡＮを介してアクセスポイントに接続した際に、前記基地局位置情報とアクセスポイント接続情報とを対応付けて接続履歴として記録しており、
前記プッシュサーバが、前記無線ＷＡＮを介して前記移動端末へ、前記アプリケーションサーバにおける配信情報の発生を意味するメッセージを送信する第１のステップと、
前記移動端末が、前記メッセージを受信した際に、当該無線ＷＡＮの基地局から基地局位置情報を取得し、前記接続履歴を用いて、当該基地局位置情報に対応するアクセスポイント接続情報を検索する第２のステップと、
前記移動端末が、前記無線ＬＡＮインタフェースの電源をオンにする第３のステップと、
前記移動端末が、前記無線ＬＡＮを介して、前記アクセスポイント接続情報に基づくアクセスポイントに接続する第４のステップと、
前記移動端末が、前記アクセスポイントを介して、前記アプリケーションサーバへ配信要求を送信し、その応答として前記配信情報を受信する第５のステップと、
前記移動端末が、前記無線ＬＡＮインタフェースの電源をオフにする第６のステップと
を有することを特徴とする移動端末の配信情報取得方法。
【請求項２】
前記メッセージは、ショートメールにおけるセンタープッシュ呼メッセージであることを特徴とする請求項１に記載の移動端末の配信情報取得方法。
【請求項３】
前記基地局位置情報は、前記無線ＷＡＮの基地局に一意に割り振られた識別子(IDentifier)であることを特徴とする請求項１又は２に記載の移動端末の配信情報取得方法。
【請求項４】
前記無線ＷＡＮの基地局は、当該基地局の緯度・経度を報知しており、
前記基地局位置情報は、前記基地局の緯度・経度であることを特徴とする請求項１又は２に記載の移動端末の配信情報取得方法。
【請求項５】
前記移動端末は、
接続履歴に含まない無線ＬＡＮアクセスポイントと接続した際に、ＧＰＳ(Global Positioning System)衛星からの測位電波を受信することよって緯度・経度を、接続位置として測位し、
前記基地局の緯度・経度と、接続位置の緯度・経度との距離ｒａ（緯度・経度の差）を算出し、
前記距離ｒａを接続履歴に記録し、
その後、前記接続履歴に記録されている基地局位置情報とは異なる基地局位置情報を、他の基地局から受信した際に、他の基地局の緯度・経度と、接続位置の緯度・経度との距離ｒｂ（緯度・経度の差）を算出し、
前記距離ｒｂが、所定値αに基づくα×ｒａよりも短い場合、第３のステップ以降が実行されることを特徴とする請求項４に記載の移動端末の配信情報取得方法。
【請求項６】
前記接続履歴には、前記移動端末がアクセスポイントに接続した時刻が更に記録されており、
第２のステップについて、前記移動端末が、前記メッセージを受信した際に、前記接続履歴から、前記基地局位置情報に複数のアクセスポイント接続情報が対応付けられている場合、前記時刻が最も直近となるアクセスポイント接続情報が検索されることを特徴とする請求項１から５のいずれか１項に記載の移動端末の配信情報取得方法。
【請求項７】
第２のステップについて、前記アクセスポイント接続情報を検索できなかった場合、
第４のステップについて、前記アクセスポイントとの接続に失敗した場合、又は、
第４のステップについて、前記無線ＬＡＮを介した前記アプリケーションサーバとの接続に失敗した場合、
第５のステップで、前記移動端末は、前記無線ＷＡＮを介して、前記アプリケーションサーバへ配信要求を送信し、その応答として前記配信情報を受信する
ことを特徴とする請求項１から６のいずれか１項に記載の移動端末の配信情報取得方法。
【請求項８】
広域通信ネットワークに無線ＷＡＮ及び無線ＬＡＮが相互に接続されており、前記広域通信ネットワークに接続されたプッシュサーバ及びアプリケーションサーバと通信する移動端末について、前記無線ＷＡＮ及び前記無線ＬＡＮに接続可能な移動端末であって、
前記無線ＷＡＮから基地局位置情報を取得する基地局位置情報取得手段と、
前記無線ＬＡＮを介してアクセスポイントに接続した際に、アクセスポイント接続情報と前記基地局位置情報とを対応付けて記録する接続履歴記録手段と、
前記プッシュサーバから、前記無線ＷＡＮを介して、前記アプリケーションサーバにおける配信情報の発生を意味するメッセージを受信するメッセージ受信手段と、
前記メッセージを受信した際に、当該無線ＷＡＮの基地局から基地局位置情報を取得し、前記接続履歴を用いて、当該基地局位置情報に対応するアクセスポイント接続情報を検索するアクセスポイント検索手段と、
前記接続履歴から前記アクセスポイント接続情報が検索できた場合、前記無線ＬＡＮインタフェースの電源をオンにすると共に、前記アプリケーションサーバから前記配信情報を受信した後、前記無線ＬＡＮインタフェースの電源をオフにする電源制御手段と
前記無線ＬＡＮインタフェースを用いて、前記アクセスポイント接続情報に基づくアクセスポイントへの接続を制御するアクセスポイント接続手段と、
前記無線ＬＡＮインタフェースを用いて、前記アクセスポイントを介して前記アプリケーションサーバへ配信要求を送信し、その応答として前記配信情報を受信する配信情報取得手段と
を有することを特徴とする移動端末。
【請求項９】
前記メッセージは、ショートメールにおけるセンタープッシュ呼メッセージであることを特徴とする請求項８に記載の移動端末。
【請求項１０】
前記基地局位置情報は、前記無線ＷＡＮの基地局に一意に割り振られた識別子であることを特徴とする請求項９又は１０に記載の移動端末。
【請求項１１】
前記無線ＷＡＮの基地局は、当該基地局の緯度・経度を報知しており、
前記基地局位置情報は、前記基地局の緯度・経度であることを特徴とする請求項８又は９に記載の移動端末。
【請求項１２】
接続履歴に含まない無線ＬＡＮアクセスポイントと接続した際に、ＧＰＳ(Global Positioning System)衛星からの測位電波を受信することよって緯度・経度を、接続位置として測位する測位手段と、
前記基地局の緯度・経度と、接続位置の緯度・経度との距離ｒａ（緯度・経度の差）を算出する距離判定手段とを有し、
前記接続履歴は、前記距離ｒａを更に記録し、
前記距離判定手段は、前記接続履歴に記録されている基地局位置情報とは異なる基地局位置情報を、他の基地局から受信した際に、他の基地局の緯度・経度と、接続位置の緯度・経度との距離ｒｂ（緯度・経度の差）を算出し、
前記距離ｒｂが、所定値αに基づくα×ｒａよりも短い場合、前記電源制御手段、前記アクセスポイント接続手段及び前記配信情報取得手段が機能することを特徴とする請求項１１に記載の移動端末。
【請求項１３】
前記接続履歴記録手段は、前記接続履歴に、アクセスポイントに接続した時刻を更に記録しており、
前記アクセスポイント検索手段は、前記メッセージを受信した際に、前記接続履歴から、前記基地局位置情報に複数のアクセスポイント接続情報が対応付けられている場合、前記時刻が最も直近となるアクセスポイント接続情報から順に検索することを特徴とする請求項８から１２のいずれか１項に記載の移動端末。
【請求項１４】
前記アクセスポイント検索手段が、前記アクセスポイントの接続情報を検索できなかった場合、
前記配信情報取得手段が、前記アクセスポイントとの接続に失敗した場合、又は、
前記配信情報取得手段が、前記無線ＬＡＮを介した前記アプリケーションサーバとの接続に失敗した場合、
前記配信情報取得手段は、前記無線ＷＡＮを介して、前記アプリケーションサーバへ配信要求を送信し、その応答として前記配信情報を受信する
ことを特徴とする請求項８から１３のいずれか１項に記載の移動端末。
【請求項１５】
広域通信ネットワークに無線ＷＡＮ及び無線ＬＡＮが相互に接続されており、前記広域通信ネットワークに接続されたプッシュサーバ及びアプリケーションサーバと通信する移動端末について、前記無線ＷＡＮ及び前記無線ＬＡＮに接続可能な移動端末に搭載されたコンピュータを機能させるプログラムであって、
前記無線ＷＡＮから基地局位置情報を取得する基地局位置情報取得手段と、
前記無線ＬＡＮを介してアクセスポイントに接続した際に、アクセスポイント接続情報と前記基地局位置情報とを対応付けて記録する接続履歴記録手段と、
前記プッシュサーバから、前記無線ＷＡＮを介して、前記アプリケーションサーバにおける配信情報の発生を意味するメッセージを受信するメッセージ受信手段と、
前記メッセージを受信した際に、当該無線ＷＡＮの基地局から基地局位置情報を取得し、前記接続履歴を用いて、当該基地局位置情報に対応するアクセスポイント接続情報を検索するアクセスポイント検索手段と、
前記接続履歴から前記アクセスポイント接続情報が検索できた場合、前記無線ＬＡＮインタフェースの電源をオンにすると共に、前記アプリケーションサーバから前記配信情報を受信した後、前記無線ＬＡＮインタフェースの電源をオフにする電源制御手段と
前記無線ＬＡＮインタフェースを用いて、前記アクセスポイント接続情報に基づくアクセスポイントへの接続を制御するアクセスポイント接続手段と、
前記無線ＬＡＮインタフェースを用いて、前記アクセスポイントを介して前記アプリケーションサーバへ配信要求を送信し、その応答として前記配信情報を受信する配信情報取得手段と
してコンピュータを機能させることを特徴とする移動端末用のプログラム。
【発明の詳細な説明】
【技術分野】
【０００１】
本発明は、移動端末が、無線ＬＡＮ(Local Area Network)を介して、アプリケーションサーバから配信情報を取得する技術に関する。特に、移動端末について、配信情報の待ち状態における無線ＬＡＮインタフェースの省電力化を実現する技術に関する。
【背景技術】
【０００２】
広域通信として携帯電話通信に代表される無線ＷＡＮ(Wide Area Network)が普及し、狭域通信としてＩＥＥＥ８０２．１１ａ／ｂ／ｇに代表される無線ＬＡＮが普及している。このような通信環境に対応して、移動端末（携帯電話機、携帯端末(ＰＤＡ：Personal Digital Assistant)及びパーソナルコンピュータを含む）が、無線ＷＡＮインタフェースと無線ＬＡＮインタフェースとの両方を備えたものも普及してきている。このような移動端末は、屋外では携帯電話通信を利用し、構内では無線ＬＡＮを利用するように、複数の通信インタフェースを切り替えることができる。尚、無線ＷＡＮとしては、例えば、ＷｉＭＡＸ(Worldwide Interoperability for Microwave Access)、ＬＴＥ(Long Term Evolution)、又はＵＭＢ(Ultra Mobile Broadband)も含まれる。
【０００３】
ここで、移動端末には、その連続使用時間に直結する消費電力の低減が常に問題となる。Ｗｅｂブラウジングのようなアプリケーションでは、ユーザの操作に応じて、必要時に、適切な通信インタフェースの電源をオンにすればよい。しかしながら、メールの着信、プレゼンス情報の更新、ＲＳＳ(RDF(Resource Description Framework) Site Summary)の自動配信のように、相手方端末やサーバからの配信を待つようなアプリケーションでは、その通信インタフェースの電源を常にオンにしておかなければならない。特に、無線ＬＡＮインタフェースによる消費電力は、携帯且つ小型の移動端末にとっては、そのバッテリの容量から無視できないものである。従って、移動端末が、複数の通信インタフェースの電源を常にオンにしておくことは、消費電力の低減の観点からは望ましくない。
【０００４】
第１に、広域通信ネットワークインタフェースと無線ＬＡＮインタフェースとを有する移動端末が、低消費電力で呼接続を待ち受ける技術がある（例えば特許文献１参照）。具体的には、移動端末が、無線ＬＡＮ通信ネットワークを介して構内ＳＩＰ(Session Initiation Protocol)サーバへ、電源オフ状態を含むREGISTERを送信し、無線ＬＡＮインタフェースの電源をオフにする。その後、構内ＳＩＰサーバが、発呼端末からの着呼を受け付けた際に、当該着呼の呼接続を保留する。次に、構内ＳＩＰサーバは、広域無線通信ネットワークを介して移動端末へ発呼し、移動端末が、無線ＬＡＮインタフェースの電源をオンにする。そして、移動端末が、無線ＬＡＮインタフェースを介して構内ＳＩＰサーバへ、電源オン状態を含むREGISTERを送信し、構内ＳＩＰサーバが、保留している呼接続を解除し、移動端末と発呼端末との間で呼接続させる。
【０００５】
第２に、移動端末が、無線ＬＡＮアクセスポイントへ自動的に接続するアクセスポイントのサーチ頻度を減らすために、セルラ通信の基地局情報と無線ＬＡＮのアクセスポイントへの接続履歴を利用する技術がある（例えば特許文献２参照）。具体的には、無線ＬＡＮアクセスポイントと接続した際のＣＤＭＡ(Code Division Multiple Access)の基地局情報を、移動端末が記録しておく。これによって、当該ＣＤＭＡの基地局エリアに移動した際にのみ、無線ＬＡＮのそのアクセスポイントをサーチする。
【先行技術文献】
【特許文献】
【０００６】
【特許文献１】特開２０１０−０２１６６１号公報
【特許文献２】特開２００９−２０１１０４号公報
【発明の概要】
【発明が解決しようとする課題】
【０００７】
しかしながら、特許文献１に記載された技術によれば、移動端末の広域無線インタフェース及び無線ＬＡＮインタフェースの電源入力状態を、構内ＳＩＰサーバに保持させなければならない。このため、一般的な構内ＳＩＰサーバに対して移動端末の状態を保存するための機能を追加しなければならず、コストが増加してしまう。また、音声通話の着呼を対象としており、メール受信、プレゼンス情報の配信、ＲＳＳの通知といったアプリケーションを想定していない。
【０００８】
また、特許文献２に記載された技術によれば、無線ＬＡＮのアクセスポイントへの電力消費を抑えて自動的に接続する。従って、無線ＬＡＮ接続後に関しては、無線ＬＡＮインタフェースを常時オンにしておく必要がある。又は、一般的な携帯電話に実装されているＩＥＥＥ８０２．１１の省電力モードによる動作モードへ移行する。しかしながら、同一ネットワークにおけるブロードキャストパケット等を受信してしまうため、ＩＥＥＥ８０２．１１の省電力モードでの動作は、無線ＬＡＮ圏内における消費電力は大きい。
【０００９】
そこで、本発明は、移動端末が、アプリケーションサーバからの配信情報が発生した際にのみ、無線ＬＡＮインタフェースの電源をオンにすることによって省電力化を実現する配信情報取得方法、移動端末及びプログラムを提供することを目的とする。
【課題を解決するための手段】
【００１０】
本発明によれば、
広域通信ネットワークに無線ＷＡＮ(Wide Area Network)及び無線ＬＡＮ(Local Area Network)が相互に接続されており、広域通信ネットワークに接続されたプッシュサーバ及びアプリケーションサーバと、無線ＷＡＮ及び無線ＬＡＮに接続可能な移動端末とを有するシステムにおける、移動端末の配信情報取得方法であって、
移動端末は、無線ＷＡＮから基地局位置情報を取得することができ、無線ＬＡＮを介してアクセスポイントに接続した際に、基地局位置情報とアクセスポイント接続情報とを対応付けて接続履歴として記録しており、
プッシュサーバが、無線ＷＡＮを介して移動端末へ、アプリケーションサーバにおける配信情報の発生を意味するメッセージを送信する第１のステップと、
移動端末が、メッセージを受信した際に、当該無線ＷＡＮの基地局から基地局位置情報を取得し、接続履歴を用いて、当該基地局位置情報に対応するアクセスポイント接続情報を検索する第２のステップと、
移動端末が、無線ＬＡＮインタフェースの電源をオンにする第３のステップと、
移動端末が、無線ＬＡＮを介して、アクセスポイント接続情報に基づくアクセスポイントに接続する第４のステップと、
移動端末が、アクセスポイントを介して、アプリケーションサーバへ配信要求を送信し、その応答として配信情報を受信する第５のステップと、
移動端末が、無線ＬＡＮインタフェースの電源をオフにする第６のステップと
を有することを特徴とする。
【００１１】
本発明の配信情報取得方法における他の実施形態によれば、メッセージは、ショートメールにおけるセンタープッシュ呼メッセージであることも好ましい。
【００１２】
本発明の配信情報取得方法における他の実施形態によれば、基地局位置情報は、無線ＷＡＮの基地局に一意に割り振られた識別子(IDentifier)であることも好ましい。
【００１３】
本発明の配信情報取得方法における他の実施形態によれば、無線ＷＡＮの基地局は、当該基地局の緯度・経度を報知しており、基地局位置情報は、基地局の緯度・経度であることも好ましい。
【００１４】
本発明の配信情報取得方法における他の実施形態によれば、移動端末は、
接続履歴に含まない無線ＬＡＮアクセスポイントと接続した際に、ＧＰＳ(Global Positioning System)衛星からの測位電波を受信することよって緯度・経度を、接続位置として測位し、
基地局の緯度・経度と、接続位置の緯度・経度との距離ｒａ（緯度・経度の差）を算出し、
距離ｒａを接続履歴に記録し、
その後、接続履歴に記録されている基地局位置情報とは異なる基地局位置情報を、他の基地局から受信した際に、他の基地局の緯度・経度と、接続位置の緯度・経度との距離ｒｂ（緯度・経度の差）を算出し、
距離ｒｂが、所定値αに基づくα×ｒａよりも短い場合、第３のステップ以降が実行されることも好ましい。
【００１５】
本発明の配信情報取得方法における他の実施形態によれば、
接続履歴には、移動端末がアクセスポイントに接続した時刻が更に記録されており、
第２のステップについて、移動端末が、メッセージを受信した際に、接続履歴から、基地局位置情報に複数のアクセスポイント接続情報が対応付けられている場合、時刻が最も直近となるアクセスポイント接続情報が検索されることも好ましい。
【００１６】
本発明の配信情報取得方法における他の実施形態によれば、
第２のステップについて、アクセスポイント接続情報を検索できなかった場合、
第４のステップについて、アクセスポイントとの接続に失敗した場合、又は、
第４のステップについて、無線ＬＡＮを介したアプリケーションサーバとの接続に失敗した場合、
第５のステップで、移動端末は、無線ＷＡＮを介して、アプリケーションサーバへ配信要求を送信し、その応答として配信情報を受信することも好ましい。
【００１７】
本発明によれば、広域通信ネットワークに無線ＷＡＮ及び無線ＬＡＮが相互に接続されており、広域通信ネットワークに接続されたプッシュサーバ及びアプリケーションサーバと通信する移動端末について、無線ＷＡＮ及び無線ＬＡＮに接続可能な移動端末であって、
無線ＷＡＮから基地局位置情報を取得する基地局位置情報取得手段と、
無線ＬＡＮを介してアクセスポイントに接続した際に、アクセスポイント接続情報と基地局位置情報とを対応付けて記録する接続履歴記録手段と、
プッシュサーバから、無線ＷＡＮを介して、アプリケーションサーバにおける配信情報の発生を意味するメッセージを受信するメッセージ受信手段と、
メッセージを受信した際に、当該無線ＷＡＮの基地局から基地局位置情報を取得し、接続履歴を用いて、当該基地局位置情報に対応するアクセスポイント接続情報を検索するアクセスポイント検索手段と、
接続履歴からアクセスポイント接続情報が検索できた場合、無線ＬＡＮインタフェースの電源をオンにすると共に、アプリケーションサーバから配信情報を受信した後、無線ＬＡＮインタフェースの電源をオフにする電源制御手段と
無線ＬＡＮインタフェースを用いて、アクセスポイント接続情報に基づくアクセスポイントへの接続を制御するアクセスポイント接続手段と、
無線ＬＡＮインタフェースを用いて、アクセスポイントを介してアプリケーションサーバへ配信要求を送信し、その応答として配信情報を受信する配信情報取得手段と
を有することを特徴とする。
【００１８】
本発明の移動端末における他の実施形態によれば、メッセージは、ショートメールにおけるセンタープッシュ呼メッセージであることも好ましい。
【００１９】
本発明の移動端末における他の実施形態によれば、基地局位置情報は、無線ＷＡＮの基地局に一意に割り振られた識別子であることも好ましい。
【００２０】
本発明の移動端末における他の実施形態によれば、無線ＷＡＮの基地局は、当該基地局の緯度・経度を報知しており、基地局位置情報は、基地局の緯度・経度であることも好ましい。
【００２１】
本発明の移動端末における他の実施形態によれば、
接続履歴に含まない無線ＬＡＮアクセスポイントと接続した際に、ＧＰＳ(Global Positioning System)衛星からの測位電波を受信することよって緯度・経度を、接続位置として測位する測位手段と、
基地局の緯度・経度と、接続位置の緯度・経度との距離ｒａ（緯度・経度の差）を算出する距離判定手段とを有し、
接続履歴は、距離ｒａを更に記録し、
距離判定手段は、接続履歴に記録されている基地局位置情報とは異なる基地局位置情報を、他の基地局から受信した際に、他の基地局の緯度・経度と、接続位置の緯度・経度との距離ｒｂ（緯度・経度の差）を算出し、
距離ｒｂが、所定値αに基づくα×ｒａよりも短い場合、電源制御手段、アクセスポイント接続手段及び配信情報取得手段が機能することも好ましい。
【００２２】
本発明の移動端末における他の実施形態によれば、
接続履歴記録手段は、接続履歴に、アクセスポイントに接続した時刻を更に記録しており、
アクセスポイント検索手段は、メッセージを受信した際に、接続履歴から、基地局位置情報に複数のアクセスポイント接続情報が対応付けられている場合、時刻が最も直近となるアクセスポイント接続情報から順に検索することも好ましい。
【００２３】
本発明の移動端末における他の実施形態によれば、
アクセスポイント検索手段が、アクセスポイントの接続情報を検索できなかった場合、
配信情報取得手段が、アクセスポイントとの接続に失敗した場合、又は、
配信情報取得手段が、無線ＬＡＮを介したアプリケーションサーバとの接続に失敗した場合、
配信情報取得手段は、無線ＷＡＮを介して、アプリケーションサーバへ配信要求を送信し、その応答として配信情報を受信することも好ましい。
【００２４】
本発明によれば、広域通信ネットワークに無線ＷＡＮ及び無線ＬＡＮが相互に接続されており、広域通信ネットワークに接続されたプッシュサーバ及びアプリケーションサーバと通信する移動端末について、無線ＷＡＮ及び無線ＬＡＮに接続可能な移動端末に搭載されたコンピュータを機能させるプログラムであって、
無線ＷＡＮから基地局位置情報を取得する基地局位置情報取得手段と、
無線ＬＡＮを介してアクセスポイントに接続した際に、アクセスポイント接続情報と基地局位置情報とを対応付けて記録する接続履歴記録手段と、
プッシュサーバから、無線ＷＡＮを介して、アプリケーションサーバにおける配信情報の発生を意味するメッセージを受信するメッセージ受信手段と、
メッセージを受信した際に、当該無線ＷＡＮの基地局から基地局位置情報を取得し、接続履歴を用いて、当該基地局位置情報に対応するアクセスポイント接続情報を検索するアクセスポイント検索手段と、
接続履歴からアクセスポイント接続情報が検索できた場合、無線ＬＡＮインタフェースの電源をオンにすると共に、アプリケーションサーバから配信情報を受信した後、無線ＬＡＮインタフェースの電源をオフにする電源制御手段と
無線ＬＡＮインタフェースを用いて、アクセスポイント接続情報に基づくアクセスポイントへの接続を制御するアクセスポイント接続手段と、
無線ＬＡＮインタフェースを用いて、アクセスポイントを介してアプリケーションサーバへ配信要求を送信し、その応答として配信情報を受信する配信情報取得手段と
してコンピュータを機能させることを特徴とする。
【発明の効果】
【００２５】
本発明の配信情報取得方法、移動端末及びプログラムによれば、移動端末が、アプリケーションサーバからの配信情報が発生した際にのみ、無線ＬＡＮインタフェースの電源をオンにすることによって省電力化を実現する。
【図面の簡単な説明】
【００２６】
【図１】本発明におけるシステム構成図である。
【図２】本発明におけるシーケンス図である。
【図３】無線ＬＡＮを介して配信情報を受信できない場合のシーケンス図である。
【図４】移動端末が、他の基地局から受信した基地局位置情報によってアクセスポイントに接続する説明図である。
【図５】本発明における移動端末の機能構成図である。
【発明を実施するための形態】
【００２７】
以下、本発明の実施の形態について、図面を用いて詳細に説明する。
【００２８】
図１は、本発明におけるシステム構成図である。
【００２９】
図１によれば、広域通信ネットワークとして、インターネット４に、携帯電話網５０及びアクセスネットワーク６０が、相互に接続されている。また、図１によれば、携帯電話網５０には、移動端末１への配信情報を送信するアプリケーションサーバ３と、移動端末１へ呼メッセージを送信するプッシュサーバ２とが接続されている。
【００３０】
移動端末１は、無線ＷＡＮインタフェースと無線ＬＡＮインタフェースとを有する。無線ＷＡＮインタフェースは、携帯電話網５０の基地局５１と通信する。また、無線ＬＡＮインタフェースは、アクセスネットワーク６０のアクセスポイント６１と通信する。アクセスポイント６１は、移動端末１へＩＰアドレスを付与するＤＨＣＰ(Dynamic Host Configuration Protocol)機能も有する。また、移動端末１は、ＧＰＳ衛星７から測位電波を受信し、測位することができる。
【００３１】
図２は、本発明におけるシーケンス図である。
【００３２】
（Ｓ２０１）移動端末１は、無線ＷＡＮの基地局５１から基地局位置情報を取得する。基地局位置情報は、当該基地局に一意に割り振られた識別子(IDentifier)であってもよい。また、基地局位置情報は、基地局の緯度・経度であってもよい。基地局５１は、基地局位置情報を常に報知している。
【００３３】
（Ｓ２０２）移動端末１が、無線ＬＡＮインタフェースを電源オンにし、アクセスポイントに接続したとする。
【００３４】
（Ｓ２０３）移動端末１は、基地局位置情報にアクセスポイント接続情報を対応付けた接続履歴を記録する。ここで、１つの基地局位置情報に、複数のアクセスポイント接続情報が対応付けられていてもよい。また、１つのアクセスポイント接続情報に、複数の基地局位置情報が対応付けられていてもよい。
【００３５】
以下の表１は、接続履歴のテーブルを表す。
【表１】
2011217095.tif 000003
【００３６】
表１によれば、１つの移動端末は、３つの基地局から基地局位置情報を受信したことが明らかとなっている。例えば無線ＷＡＮがＣＤＭＡ(Code Division Multiple Access)である場合、サイトダイバーシチ方式が採用されている。サイトダイバーシチ方式によれば、複数の基地局から同時送信した電波を、移動端末側で合成することができる。これによって、移動端末における受信電力が十分でない場合であっても、ビット誤り率特性を向上させることができる。
【００３７】
また、接続履歴には、移動端末がアクセスポイントに接続した時刻が更に記録されていてもよい。その時刻から所定時間が経過した履歴情報は、削除されるものであってもよい。更に、接続履歴には、接続位置情報及び距離ｒａも更に記録されている。これについては、図４を用いて後述する。
【００３８】
その後、移動端末１は、無線ＬＡＮインタフェースを電源オフにする。
【００３９】
（Ｓ２１１）その後、アプリケーションサーバ３に、移動端末１に対する配信情報が発生したとする。このとき、アプリケーションサーバ３は、トリガメッセージを、プッシュサーバ２へ送信する。これに対し、プッシュサーバ２は、携帯電話網５０に基づく無線ＷＡＮを介して、移動端末１へ、呼メッセージを送信する。このとき、移動端末１は、呼メッセージを受信すると共に、無線ＷＡＮの基地局５１から基地局位置情報も取得する。
【００４０】
呼メッセージは、ショートメールにおけるセンタープッシュ呼メッセージであってもよい。このショートメッセージには、「Ｅメール」や「Ｗｅｂブラウザ」といった配信情報に関するアプリケーション種別を含ませることも好ましい。これによって、配信情報取得時に起動するアプリケーションを識別することができる。また、接続先となるサーバのＩＰアドレスやＦＱＤＮ(Fully Qualified Domain Name)を含ませてもよい。
【００４１】
（Ｓ２１２）移動端末１は、接続履歴を用いて、当該基地局位置情報に対応するアクセスポイント接続情報を検索する。ここで、１つの基地局位置情報に対して、複数のアクセスポイント接続情報が検索されてもよい。
【００４２】
（Ｓ２１３）移動端末１は、無線ＬＡＮインタフェースの電源をオンにする。
【００４３】
（Ｓ２１４）移動端末１は、無線ＬＡＮを介して、Ｓ２１２で検索されたアクセスポイント接続情報に基づくアクセスポイントをサーチし、そのアクセスポイントに接続する。ここで、複数のアクセスポイント接続情報が検索された場合、時刻が最も直近となるアクセスポイント接続情報から順にサーチすることも好ましい。
【００４４】
そして、移動端末１は、アクセスポイント６１のＤＨＣＰ機能から、ＩＰアドレスを取得する。
【００４５】
（Ｓ２１５）移動端末１は、アクセスポイント６１を介して、アプリケーションサーバ３へ、配信要求を送信する。この応答として、アプリケーションサーバ３は、移動端末１へ、配信情報を送信する。
【００４６】
（Ｓ２１６）移動端末１は、アクセスポイント６１のＤＨＣＰ機能に対して、ＩＰアドレスを解放する。そして、移動端末１は、無線ＬＡＮインタフェースの電源をオフにする。
【００４７】
図３は、無線ＬＡＮを介して配信情報を受信できない場合のシーケンス図である。
【００４８】
図３によれば、図２のシーケンス番号に対応している。
（Ｓ２１２）移動端末１は、接続履歴を用いて、当該基地局位置情報に対応するアクセスポイント接続情報を検索する。ここで、アクセスポイント接続情報を取得できなかった場合、Ｓ２２１へ移行する。
（Ｓ２１３）移動端末１は、無線ＬＡＮを介して、Ｓ２１２で検索されたアクセスポイント接続情報に基づくアクセスポイント６１へ接続に失敗した場合、Ｓ２２１へ移行する。
（Ｓ２１５）移動端末１は、無線ＬＡＮを介したアプリケーションサーバ３との接続に失敗した場合、Ｓ２２１へ移行する。
（Ｓ２２１）移動端末１は、無線ＷＡＮを介してアプリケーションサーバ３へ、配信要求を送信する。この応答として、アプリケーションサーバ３から、配信情報を受信する。
【００４９】
図４は、移動端末が、他の基地局から受信した基地局位置情報によってアクセスポイントに接続する説明図である。
【００５０】
前述した本発明によれば、移動端末が、移動した際に、基地局から取得した基地局位置情報に基づいてアクセスポイント接続情報を検索し、そのアクセスポイント接続情報に基づいてアクセスポイントに接続する。この検索には、広範囲をカバーする基地局の位置情報と、狭範囲をカバーするアクセスポイントの接続情報とを対応付けた接続履歴が用いられる。しかしながら、１つの基地局位置情報に対して多数のアクセスポイント接続情報が対応付けられる場合が多い。そこで、図４によれば、基地局位置情報から見て、その「周辺」とみなす指標を明らかにしている。
【００５１】
無線ＷＡＮにおける基地局の設置密度は、都市又は地方で異なる。そのために、基地局から見て、その「周辺」を固定的に定めることは適切でない。結果的に、安全面での運用の場合、より広範囲でアクセスポイントをサーチすることとなり、結局、アクセスポイント接続までに比較的長い時間を要することとなる。
【００５２】
図４（ａ）によれば、移動端末１は、基地局ａから、基地局位置情報を受信している。次に、移動端末１は、アクセスポイントＡと無線ＬＡＮを介して接続する。ここで接続する無線ＬＡＮアクセスポイントは、接続履歴に含まれていないとする。この場合、移動端末１は、１回だけ、ＧＰＳ衛星からの測位電波を受信することによって、緯度・経度を接続位置として測位する。この緯度・経度は、ほぼ、アクセスポイントの位置を同じとみなす。尚、測位された緯度・経度に多少の誤差を含んでも構わない。この接続位置は、接続履歴に記録される。
【００５３】
そして、移動端末１は、基地局の緯度・経度と、接続位置の緯度・経度との距離ｒａ（緯度・経度の差）を算出する。図４（ａ）によれば、以下のように算出される。
（基地局ａ−接続位置）：距離ｒａ
最後に、移動端末１は、基地局ａの基地局位置情報と接続位置情報とを対応付けて、接続履歴に記録する。また、その距離ｒａも、接続履歴に記録する。
【００５４】
その後、図４（ｂ）によれば、移動端末１は、接続履歴に記録されている基地局位置情報とは異なる基地局位置情報を、基地局ｂから受信したとする。このとき、移動端末１は、既に記録している接続履歴の接続位置情報(X1,Y1)と、基地局ｂの緯度・経度(Xb,Yb)との間の距離ｒｂを算出する。図４（ｂ）によれば、「周辺」とみなす指標として、以下の式で判断する。
（基地局ｂ−接続位置）：距離ｒｂ
距離ｒｂ  ＜  （α×距離ｒａ）
α：パラメータ
αは、都市と地方で変更する必要がない、一定の数値となる。無線ＷＡＮの基地局の配置密度の違いは、ｒそのものによって吸収されるためである。
【００５５】
距離ｒｂ＜（α×距離ｒａ）の場合、移動端末１は、基地局ｂから基地局位置情報を受信した場合であっても、アクセスポイントＡをサーチする。即ち、その場合にのみ、無線ＬＡＮインタフェースの電源をオンにする。また、移動端末１は、アクセスポイントＡをサーチすることによって接続できた場合、接続履歴に、アクセスポイントＡのアクセスポイント接続情報に対応付けて、基地局ｂの基地局位置情報を更に記録することも好ましい。
【００５６】
図５は、本発明における移動端末の機能構成図である。
【００５７】
図５によれば、移動端末１は、無線ＷＡＮインタフェース１０１と、無線ＬＡＮインタフェース１０２と、測位部１０３とを有する。無線ＷＡＮインタフェース１０１は、例えば携帯電話網の基地局５１に接続する。無線ＬＡＮインタフェース１０２は、無線ＬＡＮのアクセスポイント６１に接続する。また、無線ＬＡＮインタフェース１０２は、その電源のオン又はオフが制御される。測位部１０３は、ＧＰＳ衛星からの測位電波を受信し、その緯度・経度を、接続位置として測位する。
【００５８】
また、図５によれば、移動端末１は、基地局位置情報取得部１１１と、接続履歴記録部１１２と、メッセージ受信部１１３と、アクセスポイント検索部１１４と、電源制御部１１５と、アクセスポイント接続部１１６と、配信情報取得部１１７と、距離判定部１１８と、アプリケーション処理部１１９とを有する。通信インタフェースを除くこれら機能構成部は、移動端末に搭載されたコンピュータを機能させるプログラムを実行することによって実現される。
【００５９】
基地局位置情報取得部１１１は、無線ＬＡＮを介してアクセスポイントに接続した際に、無線ＷＡＮから基地局位置情報を取得する。基地局位置情報及びアクセスポイント接続情報は、接続履歴記録部１１２へ出力される。また、基地局位置情報も、要求に応じて、アクセスポイント検索部１１４へ出力される。
【００６０】
接続履歴記録部１１２は、基地局位置情報及びアクセスポイント接続情報を対応付けて記録する。１つの基地局位置情報に複数のアクセスポイント接続情報が対応付けられていてもよい。ここで、接続履歴記録部１１２は、アクセスポイントに接続した時刻を更に記録することも好ましい。また、記録時における移動端末の測位結果の現在位置を、接続位置として記録することも好ましい。
【００６１】
メッセージ受信部１１３は、プッシュサーバから、無線ＷＡＮを介して、アプリケーションサーバにおける配信情報の発生を意味する呼メッセージを受信する。その旨は、アクセスポイント検索部１１４へ出力される。
【００６２】
アクセスポイント検索部１１４は、無線ＷＡＮを介してメッセージを受信した際に、基地局位置情報取得部１１１から当該無線ＷＡＮの基地局位置情報を取得する。そして、接続履歴記録部１１２を用いて、当該基地局位置情報に対応するアクセスポイント接続情報を検索する。アクセスポイント検索部１１４は、接続履歴記録部１１２からアクセスポイント接続情報を検索できた場合、その旨を、電源制御部１１５へ出力する。また、検索されたアクセスポイント接続情報は、アクセスポイント接続部１１６へ出力される。
【００６３】
また、アクセスポイント検索部１１４は、当該基地局位置情報に複数のアクセスポイント接続情報が対応付けられている場合、時刻が最も直近となるアクセスポイント接続情報から順に検索する。
【００６４】
電源制御部１１５は、接続履歴からアクセスポイント接続情報が取得できた場合、無線ＬＡＮインタフェースの電源をオンにする。また、アプリケーションサーバから配信情報を受信した後、無線ＬＡＮインタフェースの電源をオフにする。
【００６５】
アクセスポイント接続部１１６は、無線ＬＡＮインタフェースに対して、アクセスポイント接続情報に基づくアクセスポイントへの接続を制御する。
【００６６】
配信情報取得部１１７は、無線ＬＡＮインタフェースによってアクセスポイントを介して、アプリケーションサーバへ配信要求を送信する。その応答として、配信情報を受信する。受信した配信情報は、アプリケーション処理部１１９へ出力する。
【００６７】
距離判定部１１８は、基地局の緯度・経度と、接続位置の緯度・経度との距離ｒａ（緯度・経度の差）を算出する。尚、無線ＷＡＮにおける基地局は、当該基地局の緯度・経度を常に報知しているとする。また、測位部１０３は、接続履歴に含まない無線ＬＡＮアクセスポイントと接続した際に、１回だけ、ＧＰＳ衛星からの測位電波を受信することよって緯度・経度を、接続位置として測位する。算出された距離ｒａは、接続履歴に記録される。
【００６８】
その後、距離判定部１１８は、接続履歴に記録されている基地局位置情報とは異なる基地局位置情報を、他の基地局から受信した際に、他の基地局の緯度・経度と、接続位置の緯度・経度との距離ｒｂ（緯度・経度の差）を算出する。そして、距離ｒｂが、所定値αに基づくα×ｒａよりも短い場合、電源制御部１１５、アクセスポイント接続部１１６及び配信情報取得部１１７が機能する。これによって、接続履歴に記録されていない基地局から、基地局位置情報を受信した場合であっても、アクセスポイントをサーチすることができる。
【００６９】
以上、詳細に説明したように、本発明の配信情報取得方法、移動端末及びプログラムによれば、移動端末が、アプリケーションサーバからの配信情報が発生した際にのみ、無線ＬＡＮインタフェースの電源をオンにすることによって省電力化を実現する。特に、無線ＬＡＮインタフェースの電源オン状態で、長時間、待ち受ける必要がなく、消費電力を低減すると共に、配信情報が発生した時にのみ、無線ＬＡＮを用いてアプリケーションサーバに接続することができる。
【００７０】
特に、メール受信のように配信情報の発生が広域通信ネットワークを介して通知されるアプリケーションや、指定された時刻に移動端末がサーバにアクセスして情報を取得するアプリケーションを対象としている。無線ＬＡＮインタフェースと広域無線通信インタフェースのどちらを使用して情報取得を行うかを移動端末自身が判断するため、移動端末のインタフェースのオン・オフ情報を管理するサーバは不要である。さらに、通信を行っていない待ち受け時は、無線ＬＡＮインタフェースを常時オフとするため、無線ＬＡＮアクセスポイント圏内においても電力消費を抑えることができる。
【００７１】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７２】
１  移動端末
１０１  無線ＷＡＮインタフェース
１０２  無線ＬＡＮインタフェース
１０３  測位部
１１１  基地局位置情報取得部
１１２  接続履歴記録部
１１３  メッセージ受信部
１１４  アクセスポイント検索部
１１５  電源制御部
１１６  アクセスポイント接続部
１１７  配信情報取得部
１１８  距離判定部
１１９  アプリケーション処理部
２  プッシュサーバ
３  アプリケーションサーバ
４  インターネット
５０  無線ＷＡＮ、携帯電話網
５１  基地局
６０  アクセスネットワーク
６１  アクセスポイント
７  ＧＰＳ衛星
【図１】
2011217095.tif 000004
【図２】
2011217095.tif 000005
【図３】
2011217095.tif 000006
【図４】
2011217095.tif 000007
【図５】
2011217095.tif 000008